(57)【特許請求の範囲】
【請求項１】
レバー先端に装着される筒状のキャップと、レバー先端のスプリングによりレバー先端側へ付勢された状態で前記キャップの内側に軸方向へ移動可能に組み付けられるプッシュボタンとを備えたレバー先端のプッシュ式スイッチの組み付け方法であって、
前記キャップをレバー先端に装着する装着方向と反対側の上方から前記キャップの筒内に前記プッシュボタンを挿入し、キャップの内壁の下端部に設けられた一対の突起により形成された仮止め手段によりプッシュボタンがキャップ内で移動しないように仮止めされて前記プッシュボタンは前記キャップに組み付けられ、前記プッシュボタンの下端部は前記一対の突起に当接し、仮止め位置は接点ＯＮ位置より下に前記キャップが止まる位置に設定されて前記キャップからの前記プッシュボタンの下方への脱落が防止された状態で前記キャップを前記レバー先端に装着することを特徴とするレバー先端のプッシュ式スイッチの組み付け方法。
【請求項２】
レバー先端に装着される筒状のキャップと、レバー先端のスプリングによりレバー先端側へ付勢された状態で前記キャップの内側に軸方向へ移動自在に組み付けるレバー先端のプッシュ式スイッチの組み付け構造であって、
前記キャップをレバー先端に装着する前に、前記キャップにプッシュボタンを上方から組み付けてプッシュボタンがキャップ内で移動しないように仮止めする仮止め手段を有し、前記仮止め手段が、前記キャップの内壁に設けられた一対の突起からなり、これらの一対の突起にプッシュボタンの下端部が当接し、仮止め位置は接点ＯＮ位置より下にキャップが止まる位置に設定されてキャップからのプッシュボタンの下方への脱落が防止されることを特徴とするレバー先端のプッシュ式スイッチ。
【発明の詳細な説明】
【０００１】
【発明の属する技術分野】
本発明は、自動車用コラムスイッチにおけるレバー先端のプッシュ式スイッチの組み付け方法及び構造に関する。
【０００２】
【従来の技術】
従来の 自動車用コラムスイッチにおけるレバー先端のプッシュ式スイッチ３１は、図３に示すように、レバー３２の先端に装着される筒状のキャップ３３と、レバー３２の先端のスプリング（可動接点）３４によりレバー３２の先端側へ付勢された状態で前記キャップ３３の内側に軸方向へ移動可能に組み付けられるプッシュボタン３５とから構成されている。レバー３２は、軸３６に止め輪３７を介して固定され、レバー３２の先端に前記スプリング（可動接点）３４が設けられている。軸３６の先端には、リード線３８が半田付けされた固定接点３９と接点４０とが取り付けられたブッシュ４１が固定されている。
【０００３】
【発明が解決しようとする課題】
しかし、従来のレバー先端のプッシュ式スイッチ３１では、レバー３２の先端にプッシュボタン３５とキャップ３３を組み付ける工程において、図４に示すように、プッシュボタン３５をキャップ３３に挿入して、これをレバー３２先端に嵌合しロックさせているが、その組み付け途中においてプッシュボタン３５がキャップ３３から外れてしまうことがあり、組み付け性が悪かった。
【０００４】
また、スプリング３４上にプッシュボタン３５を置いて組み付けることも可能ではあるが、この場合、スプリング３４を変形させてしまう恐れがある。
【０００５】
そこで、本発明は、レバー先端のプッシュ式スイッチの組み付け途中においてプッシュボタンがキヤップから外れることを防止することができるレバー先端のプッシュ式スイッチの組み付け方法及び構造の提供を目的とする。
【０００６】
【課題を解決するための手段】
前記目的を達成するため、請求項１の発明は、レバー先端に装着される筒状のキャップと、レバー先端のスプリングによりレバー先端側へ付勢された状態で前記キャップの内側に軸方向へ移動可能に組み付けられるプッシュボタンとを備えたレバー先端のプッシュ式スイッチの組み付け方法であって、前記キャップをレバー先端に装着する装着方向と反対側の上方から前記キャップの筒内に前記プッシュボタンを挿入し、キャップの内壁の下端部に設けられた一対の突起により形成された仮止め手段によりプッシュボタンがキャップ内で移動しないように仮止めされて前記プッシュボタンは前記キャップに組み付けられ、前記プッシュボタンの下端部は前記一対の突起に当接し、仮止め位置は接点ＯＮ位置より下に前記キャップが止まる位置に設定されて前記キャップからの前記プッシュボタンの下方への脱落が防止された状態で前記キャップを前記レバー先端に装着することを特徴とする。
【０００７】
請求項１の発明では、プッシュボタンを予めキャップに組み付けた後に、レバー先端に装着するので、組み付け途中においてプッシュボタンのキャップからの外れを防止することができ、組み付け性を向上することができる。
【０００８】
さらに、請求項１の発明では、プッシュボタンを、前記キャップをレバー先端に装着する装着方向と反対側からキャップの筒内に挿入し仮止め手段により仮止めして組み付けられるため、組み付け途中におけるプッシュボタンのキャップからの外れを確実に防止することができ、より組み付け性を向上することができる。
【０００９】
請求項２の発明は、レバー先端に装着される筒状のキャップと、レバー先端のスプリングによりレバー先端側へ付勢された状態で前記キャップの内側に軸方向へ移動自在に組み付けるレバー先端のプッシュ式スイッチの組み付け構造であって、前記キャップをレバー先端に装着する前に、前記キャップにプッシュボタンを上方から組み付けてプッシュボタンがキャップ内で移動しないように仮止めする仮止め手段を有し、前記仮止め手段が、前記キャップの内壁に設けられた一対の突起からなり、これらの一対の突起にプッシュボタンの下端部が当接し、仮止め位置は接点ＯＮ位置より下にキャップが止まる位置に設定されてキャップからのプッシュボタンの下方への脱落が防止されることを特徴とする。
【００１０】
また、請求項２の発明では、キャップをレバー先端に装着する前に、前記キャップにプッシュボタンを仮止めする仮止め手段を設けたので、プッシュボタンをキャップの筒内に挿入し仮止め手段により仮止めして組み付けられるため、組み付け途中におけるプッシュボタンのキャップからの外れを確実に防止することができ、より組み付け性を向上することができ、仮止め手段を簡単な構造で構成することができる。
【００１３】
【発明の実施の形態】
以下、本発明の実施の形態を図面に基づき説明する。
【００１４】
図１は、本発明の実施形態のレバー先端のプッシュ式スイッチ１の組み付け方法及び構造を示す分解断面図である。
【００１５】
本実施形態のレバー先端のプッシュ式スイッチ１の組み付け構造は、図１に示すように、レバー２先端に装着される筒状のキャップ３と、レバー２先端のスプリング（可動接点）４によりレバー先端側へ付勢された状態でキャップ３の内側に軸方向へ移動可能に組み付けられるプッシュボタン５とから構成されている。
【００１６】
レバー２は、軸６に止め輪７を介して固定され、レバー２の先端に前記スプリング（可動接点）４が設けられている。軸６の先端には、リード線８が半田付けされた固定接点９と接点１０とが取り付けられたブッシュ１１が固定されている。
【００１７】
プッシュボタン５は、キャップ３をレバー２先端に装着する装着方向と反対側からキャップ３の筒内に挿入され仮止め手段１２により仮止めされて組み付けられる。
【００１８】
仮止め手段１２は、図２（ａ）乃至図２（ｆ）に示すように、キャップ３の内壁１３の下端部１４に設けられた一対の突起１５，１５により形成されている。プッシュボタン５の仮止め位置は、接点OＮ位置より下にキャップ３が止まる位置に設定している。
【００１９】
上記構成において、レバー２先端のプッシュ式スイッチ１の組付けは、図１に示すように、前記プッシュボタン５を、予め前記キャップ３をレバー２先端に装着する装着方向と反対側からキャップ３の筒内に挿入し、前記キャップ３の内壁に設けられた一対の突起１５、１５からなる仮止め手段１２に仮止めして組み付けた後に、キャップ３をレバー２先端に装着する。
【００２０】
本実施形態によれば、レバー２の先端にプッシュボタン５を組み付ける工程で、プッシュボタン５を予めキャップ３をレバー２先端に装着する装着方向と反対側からキャップ３の筒内に挿入し、キャップ３の内壁に設けられた一対の突起１５、１５からなる仮止め手段１２に仮止めして組み付けた後に、キャップ３をレバー２先端に装着するので、組み付け途中におけるプッシュボタン５のキャップ３からの外れを確実に防止することができ、より組み付け性を向上することができる。また、スプリング４を損傷することもない。
【００２１】
なお、上記実施形態では、仮止め手段１２として、キャップ３に設けた一対の突起１５、１５としたが、プッシュボタン５をキャップ３に仮止めすることができれば、他の構成でも良い。
【００２２】
【発明の効果】
以上説明したように、請求項１の発明によれば、レバー先端に装着される筒状のキャップと、レバー先端のスプリングによりレバー先端側へ付勢された状態で前記キャップの内側に軸方向へ移動可能に組み付けられるプッシュボタンとを備え、前記プッシュボタンを予めキャップに組み付けた後に、キャップをレバー先端に装着し、前記プッシュボタンを、前記キャップをレバー先端に装着する装着方向と反対側からキャップの筒内に挿入し仮止め手段によりプッシュボタンがキャップ内で移動しないように仮止めして組み付けられるので、組み付け途中におけるプッシュボタンのキャップからの外れを防止することができ、組み付け性を向上することができる。
【００２４】
また、請求項２の発明によれば、レバー先端に装着される筒状のキャップと、レバー先端のスプリングによりレバー先端側へ付勢された状態で前記キャップの内側に軸方向へ移動自在に組み付けるレバー先端のプッシュ式スイッチの組み付け構造であって、前記キャップをレバー先端に装着する前に、前記キャップにプッシュボタンを仮止めする仮止め手段を設けたので、プッシュボタンをキャップの筒内に挿入し仮止め手段によりプッシュボタンがキャップ内で移動しないように仮止めして組み付け、前記仮止め手段が、前記キャップの内壁に設けられた一対の突起で構成されているので、仮止め手段を簡単な構造で構成することができ、組み付け途中におけるプッシュボタンのキャップからの外れを確実に防止することができ、より組み付け性を向上することができる。
【図面の簡単な説明】
【図１】本発明の実施の形態のレバー先端のプッシュ式スイッチの組み付け方法及び構造を示す分解断面図である。
【図２】本発明の実施形態のキャップを示すものであって、
（ａ）は、キャップの上面図である。
（ｂ）は、キャップの正面図である。
（ｃ）は、キャップの側面図である。
（ｄ）は、キャップの内側面を示す図である。
（ｅ）は、図（ｃ）のＡ−Ａ線矢視断面図である。
（ｆ）は、図（ｃ）の矢視Ｄ部の拡大詳細図である。
【図３】従来例のレバー先端のプッシュ式スイッチの組み付け構造を示す断面図である。
【図４】従来例のレバー先端のプッシュ式スイッチの組み付け方法及び構造を示す分解断面図である。
【符号の説明】
１  プッシュ式スイッチ
２  レバー
３  キャップ
４  スプリング
５  プッシュボタン
１２  仮止め手段
１３  内壁
１５、１５  一対の突起
【図１】
0004422942.tif 000002
【図２】
0004422942.tif 000003
【図３】
0004422942.tif 000004
【図４】
0004422942.tif 000005